(57)【要約】【課題】フォーム両面に印刷が施された連続フォームをジグザグ状に折り畳んで、改ざん防止機能およびページ抜け落ち機能を備え、安全性の高いノートブックおよびその製造方法を提供するもの。【解決手段】本発明に係るノートブックおよびその製造方法は、フォーム両面に印刷された連続フォームを単位フォーム毎にジグザグ状に折り畳み、所要数の連続する単位フォームから単位フォーム群の単位ユニットを連続して構成し、前記単位フォーム群の単位ユニットは、前記単位ユニット毎にあるいは複数の単位ユニット毎にフォーム幅方向に切断して、ジグザグ折りのノートブックを構成し、前記ノートブックは、各単位フォームのノート面に、複数の横罫線を備えたメイン記載欄と日付記載欄とを少なくとも備え、前記メイン記載欄の横罫線はマイクロ文字で印刷された罫線であり、各単位フォームがジグザグ折りで展開して見開き可能に重ねられたことを特徴とするものである。【選択図】  図４
2015066947.tif 000002
【特許請求の範囲】
【請求項１】
フォーム両面に印刷された連続フォームを単位フォーム毎にジグザグ状に折り畳み、所要数の連続する単位フォームから単位フォーム群の単位ユニットを連続して構成し、
前記単位フォーム群の単位ユニットは、前記単位ユニット毎にあるいは複数の単位ユニット毎にフォーム幅方向に切断して、ジグザグ折りのノートブックを構成し、
前記ノートブックは、各単位フォームのノート面に、複数の横罫線を備えたメイン記載欄と日付記載欄とを少なくとも備え、
前記メイン記載欄の横罫線はマイクロ文字で印刷された罫線であり、各単位フォームがジグザグ折りで展開して見開き可能に重ねられたことを特徴とするノートブック。
【請求項２】
前記メイン記載欄の最上位と最下位の横罫線は、印刷ポイントが０．７ポイントから１．０ポイントのマイクロ文字で印刷され、残りの横罫線は０．３ポイントから０．７ポイントのマイクロ文字で印刷された請求項１に記載のノートブック。
【請求項３】
前記メイン記載欄の最下行の横罫線は、一部が行途中から行末端に向って印刷ポイントが漸次大きくなったり、あるいは行始端から行途中に向って印刷ポイントが漸次小さくなる請求項１または２に記載のノートブック。
【請求項４】
ジグザグ折りして展開可能に重ねられた請求項１ないし３のいずれか１項に記載のノートブックがブックカバーで覆われ、
前記ブックカバーは、表表紙と裏表紙と背表紙とから見開き可能に設けられ、
前記ブックカバーの表表紙は、その裏面とカバープレートの間に前記ノートブックの始端側単位フォームとこの次の単位フォームが折り畳まれて挿入保持され、
前記ノートブックの末端側単位フォームとこの前の単位フォームは折り畳まれて、前記ブックカバーの裏表紙裏面とカバープレートとの間に挿入保持されたことを特徴とするノートブック。
【請求項５】
前記ブックカバーは表表紙および裏表紙側の底部にストッパをそれぞれ備え、前記ブックカバーに収容されるノートブックは前記ストッパにより中紙の抜出が防止される請求項４に記載のノートブック。
【請求項６】
給紙ロールから繰り出される連続フォームを、無端帯状印刷プレートを備えた印刷装置でフォーム一面にマイクロ文字の横罫線を印刷した後、フォーム反転装置により連続フォームの表裏を反転させ、
続いて、前記連続フォームの他面を無端帯状印刷プレートを備えた別の印刷装置でフォーム面にマイクロ文字の横罫線を印刷して連続フォーム両面に印刷を施し、
フォーム両面が印刷された連続フォームをジグザグ折り装置で単位フォーム毎にジグザグ折りして折り畳んでスタッカ上に堆積させ、
ジグザグ折りされた前記連続フォームは所要枚の単位フォームから単位フォーム群の単位ユニットを連続して構成し、
前記単位フォーム群の単位ユニットは、単位ユニット毎あるいは複数の単位ユニット毎にフォーム幅方向に切断し、切り離されることを特徴とするノートブックの製造方法。
【請求項７】
前記連続フォームは各単位フォームのフォーム面に横罫線を備えたメイン記載欄が形成され、前記メイン記載欄の横罫線がマイクロ文字で印刷される罫線である請求項６に記載のノートブックの製造方法。
【発明の詳細な説明】
【技術分野】
【０００１】
本発明は、両面に印刷が施された連続フォームをジグザグ折りして製作され、改ざん防止機能、ページ抜落ち防止機能を備えた安全性の高いノートブックおよびその製造方法に関する。
【背景技術】
【０００２】
帯状の連続フォーム（連続紙）に無端帯状印刷プレートを用いて連続的に印刷を施し、印刷された長尺の帯状連続フォームを製造する基本的な印刷技術を本発明者は開発した。無端帯状印刷プレートを用いて連続フォームに印刷を施す技術は、年金・保険や税金の納付用紙、カレンダ、契約書、取扱説明書、書籍の冊子等に応用される。
【０００３】
また、近年は、印刷技術の進歩により、給紙ロールの連続フォームから、サービス券、旅行券、商品券、金券、株券、債券等のように、枚葉物の紙葉で高品質かつセキュリティ性の高い印刷にも広く利用されている。
【０００４】
ところで、従来のノートブックは、複数枚、例えば４０枚あるいは６０枚の枚葉物の中紙を表裏紙および裏表紙で覆い、側端側を固着あるいは固定して冊子状に構成して製造される。ノートブックの中紙は、枚葉物（枚葉紙）の各面に罫線が印刷されて構成される。罫線は実線あるいは破線で構成されるが、ノートブックの中紙は枚葉物（枚葉紙）で形成されている。
【先行技術文献】
【特許文献】
【０００５】
【特許文献１】特開２０１２−９６４９０号公報
【特許文献２】特開２０１１−５３４２４号公報
【特許文献３】特開昭６１−５９１５７号公報
【発明の概要】
【発明が解決しようとする課題】
【０００６】
従来の無端帯状印刷プレートを用いて、給紙ロールから繰り出される帯状の連続フォームに印刷を連続的に施すものは、連続フォームの片面に印刷を施す印刷技術であり、連続フォームの両面に印刷を連続的に施すようにしたものではない。したがって、連続フォームの両面に連続的に印刷を施したり、両面に印刷が施された長尺帯状の連続フォームを活用してジグザグ状に折り畳み、折り畳まれた連続フォームからノートブックを作製する技術は開発されていない。
【０００７】
既存のノートブックでは、冊子状に構成されて表表紙と裏表紙で覆われる枚葉物の中紙は、枚葉物（枚葉紙）が積層されて構成される。枚葉物で作られたノートブックでは、中紙の一部が欠落したり、抜け落ちて破損しても、ノートブックが不良品であることを気づかなかったり、ノートブックの中紙の一部にページ欠落部が生じても、その事実を確認することは困難である。
【０００８】
また、近年は複写機による印刷技術が発達しており、複写機ではセキュリティ性の高い印刷が求められ、ノートブックでも文字等の再現が難しいノートブックの開発が期待されている。既存のノートブックでは、表表紙および裏表紙間の枚葉物の中紙に改ざん防止機能やページ抜け落ち防止機能が備えられておらず、セキュリティ性の高いものとなっていない。
【０００９】
本発明は、上述した事情を考慮してなされたもので、フォーム両面に印刷が施された連続フォームをジグザグ折りして製作され、改ざん防止機能およびページ抜け落ち機能を備え、安全性の高いノートブックおよびその製造方法を提供することを目的とする。
【００１０】
本発明の他の目的は、長尺帯状の連続フォームをジグザグ状に折り畳んだ教本折りで製作され、枚葉物の中紙を冊子状に構成したノートブックとはタイプを異にするノートブックおよびその製造方法を提供するにある。
【課題を解決するための手段】
【００１１】
本発明に係るノートブックは、フォーム両面に印刷された連続フォームを単位フォーム毎にジグザグ状に折り畳み、所要数の連続する単位フォームから単位フォーム群の単位ユニットを連続して構成し、前記単位フォーム群の単位ユニットは、前記単位ユニット毎にあるいは複数の単位ユニット毎にフォーム幅方向に切断して、ジグザグ折りのノートブックを構成し、前記ノートブックは、各単位フォームのノート面に、複数の横罫線を備えたメイン記載欄と日付記載欄とを少なくとも備え、前記メイン記載欄の横罫線はマイクロ文字で印刷された罫線であり、各単位フォームがジグザグ折りで展開して見開き可能に重ねられたことを特徴とするものである。
【００１２】
また、本発明に係るノートブックは、ジグザグ折りして展開可能に重ねられた請求項１ないし３のいずれか１項に記載のノートブックがブックカバーで覆われ、前記ブックカバーは、表表紙と裏表紙と背表紙とから見開き可能に設けられ、前記ブックカバーの表表紙は、その裏面とカバープレートの間に前記ノートブックの始端側単位フォームとこの次の単位フォームが折り畳まれて挿入保持され、前記ノートブックの末端側単位フォームとこの前の単位フォームは折り畳まれて、前記ブックカバーの裏表紙裏面とカバープレートとの間に挿入保持されたことを特徴とするものである。
【００１３】
さらに、本発明に係るノートブックの製造方法は、給紙ロールから繰り出される連続フォームを、無端帯状印刷プレートを備えた印刷装置でフォーム一面にマイクロ文字の横罫線を印刷した後、フォーム反転装置により連続フォームの表裏を反転させ、続いて、前記連続フォームの他面を無端帯状印刷プレートを備えた別の印刷装置でフォーム面にマイクロ文字の横罫線を印刷して連続フォーム両面に印刷を施し、フォーム両面が印刷された連続フォームをジグザグ折り装置で単位フォーム毎にジグザグ折りして折り畳んでスタッカ上に堆積させ、ジグザグ折りされた前記連続フォームは所要枚の単位フォームから単位フォーム群の単位ユニットを連続して構成し、前記単位フォーム群の単位ユニットは、単位ユニット毎あるいは複数の単位ユニット毎にフォーム幅方向に切断し、切り離されて製作される方法である。
【発明の効果】
【００１４】
本発明に係るノートブックおよびその製造方法では、フォーム両面の印刷が施された連続フォームをジグザグ折りして重ね、所要数の連続する単位フォームから単位フォーム群の単位ユニットを連続して構成し、単位フォーム群の単位ユニット毎にあるいは複数の単位ユニット毎にフォーム幅方向に切断して切り離すことによりジグザグ折りのノートブックが作製される。このノートブックは、枚葉物でなく、各単位フォーム（中紙）が連続しているので、単位フォームの抜け落ちを確実に防ぐことができ、連続フォームが破損したり、損傷を受けるとその事実を確実に確認することができる。
【００１５】
また、ノートブックを構成する各単位フォームのフォーム面に形成されるメイン記載欄は、横罫線がマイクロ文字で形成された罫線であるので、複写機を用いて複写すると、マイクロ文字が潰れ、再現は不可能であるので、改ざん防止機能が備えられ、安全性が高い。
【００１６】
さらに、ノートブックは展開して見開き可能であり、ノートブックに記載した情報を見開いた展開状態で確認でき、一度に確認できる範囲を大きくとることができ、新しいタイプのノートブックを提供できる。
【図面の簡単な説明】
【００１７】
【図１】ノートブック製造装置の実施の形態を原理的に示す構成図。
【図２】前記ノートブック製造装置で製造される連続フォームの途中の印刷状態を示す平面図。
【図３】前記ノートブック製造装置の途中に設けられるフォーム反転装置を示す斜視図。
【図４】前記ノートブック製造装置で製作されたノートブックの例を示す図。
【図５】前記ノートブックを構成する単位フォームのフォーム面を示す平面図。
【図６】（Ａ）および（Ｂ）は図５のＡ部およびＢ部を拡大して示す部分図。
【図７】前記ノートブックを収容したブックカバーを示す図。
【図８】前記ブックカバーにノートブックを納める状態を示す図。
【図９】前記ブックカバーの見開き状態を示す展開図。
【図１０】前記ブックカバーに納められたノートブックの見開き状態を示す展開図。
【発明を実施するための形態】
【００１８】
以下、本発明に係る実施の形態について添付図面を参照して説明する。
【００１９】
［第１の実施形態］
図１は、可撓性で長尺な無端帯状印刷プレートをそれぞれ備えた複数台、少なくとも２台の印刷装置を用いて、長尺な帯状連続フォーム（連続紙）の両面に一連の印刷を連続して施し、フォーム両面が印刷された連続フォームをジグザグ状に折り畳んでジグザグ折りの単位フォーム群の単位ユニットが製作されるノートブックの製造装置を原理的に示す構成図である。
【００２０】
ノートブック製造装置１０は、給紙ロール１１から繰り出される長尺帯状の連続フォーム（連続紙：ロール紙）１２に無端帯状印刷プレート１３を用いて連続的に印刷を施すロータリプレス印刷機械である。
【００２１】
給紙ロール１１から繰り出される連続フォーム１２には、図２に示すように、両側のマージナルゾーン１５にパーフォレーション装置（図示せず）によりパンチング孔１６が等ピッチ、例えば１／２インチ間隔で穿設される。パンチング孔１６は連続フォーム１２の送りを案内するガイド孔として構成され、このパンチング孔１６により連続フォーム１２の長手方向（天地方向）の送りが正確に案内される。給紙ロール１１から送り出された連続フォーム１２はガイドローラ１７を経て第１の印刷装置１８に送られ、この第１の印刷装置１８でフォーム裏面側から印刷が好適に実施される。連続フォーム１２は続いて、第２の印刷装置１９に送られる。第２の印刷装置１９では連続フォーム１２に透かし印刷が施される。第２の印刷装置１９で印刷された連続フォーム１２はフォーム反転装置２０に送られ、ここでフォーム表裏が反転される。フォーム表裏が反転された連続フォーム１２は、続いて第３の印刷装置２１に送られる。各印刷装置１８，１９，２１はそれぞれ同じ構成および作用を有し、無端帯状印刷プレート１３（１３ａ，１３ｂ，１３ｃ）が用いられて所要の印刷が施される。
【００２２】
各印刷装置１８，１９，２１の無端帯状印刷プレート１３は、特開２０１１−５３４２４号公報や特開２０１２−９６４９０号公報に記載の可撓性を有する長尺の樹脂凸版印刷板を用いて製作される。製作された樹脂凸版印刷板を複数枚長手方向に順次接続していき、最後に長手方向両端を接続して、無端状に形成され、無端帯状印刷プレート１３が作製される。樹脂凸版印刷板を順次接続して無端帯状印刷プレート１３の製作は、各印刷装置１８，１９，２１の据付現場で行なわれ、各印刷装置１８，１９，２１にそれぞれ巻き付けられる。
【００２３】
ところで、無端帯状印刷プレート１３は、可撓性フィルム状の樹脂印刷凸板で構成され、各無端帯状印刷プレート１３（１３ａ，１３ｂ，１３ｃ）は、版胴あるいは本体胴を形成するプレートシリンダ２３とガイドシリンダ（ガイドローラ）２４との間に掛け渡され、同期化して運転される。各無端帯状印刷プレート１３（１３ａ，１３ｂ，１３ｃ）は一廻りの長手方向（天地方向）長さが、数ｍ〜数１０ｍ、例えば７ｍ〜５０ｍの間で適宜選択される。各無端帯状印刷プレート１３ａ，１３ｂ，１３ｃ（１３）は、それぞれ等しい長手方向長さを有し、同期化して運転される。
【００２４】
第１の印刷装置１８のプレートシリンダ２３に掛け渡される無端帯状印刷プレート１３ａには、例えば対をなすインクローラ２５が外接しており、インクローラ２５に所要の色、例えば黒や青、グリーンの印刷インクが供給される。供給された印刷インクは、無端帯状印刷プレート１３ａのプレート面に塗布される。印刷プレート１３ａのプレート面に塗布された印刷インクは、給紙ロール１１から供給される連続フォーム１２に複写され、印刷される。連続フォーム１２は、受胴を形成するプレートシリンダ２６により押圧され、この押圧により、連続フォーム１２に無端帯状印刷プレート１３ａの像が印刷される。
【００２５】
第１の印刷装置１８では、連続フォーム１２の表面または裏面に図２に示すように、単位フォーム１２ａ，１２ｂ，…のページ面が印刷されて形成される。各単位フォーム１２ａ，１２ｂ，…のページ面には、必要事項あるいは必要な情報記載欄が形成される。
【００２６】
このノートブック製造装置１０で製造されるノートブックを研究開発ノートあるいは技術開発ノートとして利用する場合には、研究や技術開発の進捗状況、検討課題、種々の対応内容、メモ内容等を記載するメイン記載欄２７が形成される他、年月日の日付記載欄２８、上長の認証欄（承認欄）２９、担当者や参加者の氏名記載欄３０等が記載される。
【００２７】
メイン記載欄２７は、横罫線３１と縦罫線３２とで所要のノート記載欄を構成しており、横罫線３１間の各行に行付けが施される一方、連続フォーム１２の単位フォーム１２ａ，１２ｂ，…のページ面の上隅部あるいは下端中央部にページ付けが施される。横罫線３１は、例えば最下行を除いて基本的には、０．３Ｐ（ポイント）〜０．７Ｐ（ポイント）の微細なマイクロ印刷にて文字印刷された罫線である。横罫線３１の具体例については後述する。
【００２８】
第１の印刷装置１８で連続フォーム１２の一面（フォーム面）に単位フォーム１２ａ，１２ｂ，…のページ面（フォーム面）印刷が連続して施された後、連続フォーム１２は第２の印刷装置１９に案内される。第２の印刷装置１９では、インクローラ２５ｂと無端帯状印刷プレート１３ｂを用いて透かしインクにより、連続フォーム１２の単位フォーム１２ａ，１２ｂ，…（ページ面:フォーム面）上に、例えばさくらの花形状の透かし模様３３が印刷される。透かし模様３３は高級印刷感を付与するために、花びら形状以外に他の模様や会社等のマーク、名称を施すようにしてもよい。
【００２９】
第１の印刷装置１８で連続フォーム１２に単位フォーム１２ａ，１２ｂ，…のページ面が印刷され、第２の印刷装置１９でページ面（フォーム面）に透かし模様３３が印刷された後、連続フォーム１２はフォーム反転装置２０に送られ、連続フォーム１２の表裏が反転される。
【００３０】
フォーム反転装置２０は、図３に示すように構成され、搬送されてくる連続フォーム１２を、走行方向に対し４５度傾斜した下方のガイドバー３５に案内されて側外方に走行が案内された後、回転自在のガイドローラ３６にて反転される。ガイドローラ３６では、連続フォーム１２が下方から上方に案内されて折り返され、反転される。折り返されて反転された連続フォーム１２は、上方のガイドバー３７に導かれ、この上方のガイドバー３７にて走行方向が直交するように代えられる。上方のガイドバー３７は、平面視で下方のガイドバー３５に対し、直交するように交差しており、上方のガイドバー３７で向きが直角に代えられた連続フォーム１２はフォーム表裏が反転されて第３の印刷装置２１に案内される。
【００３１】
第３の印刷装置２１では、第１および第２の印刷装置１８，１９と同様、無端帯状印刷プレート１３ｃとインクローラ２５ｃを用いて、連続フォーム１２の表面（または裏面）側に連続的に印刷が施される。第３の印刷装置２１では、第１の印刷装置１８と同様の印刷が連続フォーム１２の表面（または裏面）側に施される。連続フォーム１２は、第１の印刷装置１８および第３の印刷装置２１によりフォーム表裏両面に一連の印刷を連続して施すことができる。
【００３２】
連続フォーム１２は、その表裏両面の印刷が施された後に、図１に示すように、検査装置４０に導かれて、印刷の位置ずれや印刷ムラ等が検査される。検査された連続フォーム１２は、続いて、切断機４１に案内され、この切断機４１で連続フォーム１２のスリッタ線によりマージナルゾーン１５が切り落とされ、除去される。検査後に連続フォーム１２をコンピュータ等で後処理する必要がある場合には、連続フォーム１２のマージナルゾーン１５を切断機４１で切断することなく、切断機４１を素通りしてジグザグ折り装置４４に送られる。
【００３３】
ジグザグ折り装置４４は、例えば、特許第５３２４９５０号公報に記載された筋折り付ジグザグ折り装置が用いられる。このジグザグ折り装置４４は、連続フォーム１２のフォーム幅方向に沿って単位フォーム１２ａ，１２ｂ，…毎に交互に山状凸部と谷状凹部のフォーム筋折り付け（折目）が行なわれる。ジグザグ折り装置４４は筋折り付けプレス等のプレス折り装置を備えている。この筋折り付けプレスにより連続フォーム１２は単位フォーム１２ａ，１２ｂ，…毎にジグザグ折りを容易にする山状態部と谷状態部を交互に形成される。
【００３４】
また、連続フォーム１２はそのフォーム両面が第１ないし第３の印刷装置１８，１９，２１で印刷されており、フォーム表裏の両面が印刷された連続フォーム１２は筋折り付けプレスにより山状凸部と谷状凹部がフォーム幅方向に形成される。連続フォーム１２はジグザグ折り装置４４により単位フォーム１２ａ，１２ｂ，…毎にジグザグ状に折り畳まれて漸次スタッカ４５上に搬出され、堆積される。
【００３５】
スタッカ４５上にジグザグ状に折り畳まれた連続フォーム１２は、所要数の単位フォーム１２ａ，１２ｂ，…毎に単位フォーム群４６の単位ユニットが構成される。単位フォーム群４６の単位ユニット毎にフォーム幅方向に切断して切り離せば、最小単位を構成する単位フォーム群４６の単位ユニットのノートブックが製作される。複数の単位ユニット、例えば２つの単位ユニット毎にフォーム幅方向に切断すれば、複数（例えば２つ）の単位ユニットから構成されるジグザグ折りのノートブックが冊単位で製作される。
【００３６】
［ノートブック］
ジグザグ折りで折り畳まれて形成される単位フォーム群４６の単位ユニットのノートブック５０は、一例として図４に示すように構成される。このノートブック５０は、例えば連続フォーム１２から５４枚相当分の単位フォームをジグザグ折りにして重ねられた単位フォーム群４６で単位ユニットが構成される。単位ユニットのノートブック５０は連続フォーム１２の表面（一面）側を単位フォームＡ，単位フォームＢ，単位フォーム１，…，単位フォーム５０，単位フォームＹおよび単位フォームＺとして５４枚相当分のページ面（フォーム面）を構成している。連続フォーム１２の裏面（他面）側もそのフォーム表面側に対応して単位フォームＺ，単位フォームＹ，単位フォーム５０，…，単位フォーム１，単位フォームＢおよび単位フォームＡが順次構成されている。
【００３７】
単位フォーム群４６からなる単位ユニットのノートブック５０は、例えばＡ４サイズあるいはＢ５サイズで構成され、フォーム表面側の単位フォームＡは表表紙を構成しており、同じくフォーム表面側の単位フォームＺは裏表紙を構成してもよい。フォーム表面側の単位フォームＢは、例えばコンテンツ記載欄の印刷面を構成したものでもよい。したがって、単位ユニットのノートブック５０は１冊で、フォーム表面側とフォーム裏面側に単位フォーム１，単位フォーム２，…，単位フォーム５０で少なくとも５０ページ相当分ずつの単位フォーム群４６からなるノートブック５０の中紙が形成され、フォーム表裏両面で少なくとも１００ページ相当分のジグザグ折りの単位フォーム群４６のノートブック５０が構成される。複数の単位ユニットから構成されるジグザグ折りのノートブックでは、単位ユニットのノートブック５０の複数倍のボリュームのノートブックが構成される。
【００３８】
いずれにしても、ジグザグ折りのノートブック５０は、展開して見開き可能であり、ノートブック５０に記載した情報を見開き状態で見て確認することができ、確認作業が広い範囲に亘って比較しながら確認でき、作業効率を向上させることができる。
【００３９】
ところで、単位ユニットのノートブック５０は、表表紙と裏表紙とを表紙形成用の厚紙で構成し、これらの厚紙をフォーム表面側の単位フォームＡおよび単位フォームＺにそれぞれ接着し、ジグザグ折りして折り畳むことによりジグザグ折りのノートブックとしてもよい。このジグザグ折りのノートブックは法帖折りのノートブックを構成している。
【００４０】
また、単位ユニットのノートブック５０や複数単位ユニットからなるノートブックにおいて、ノートブック５０を構成するジグザグ折りで連続する各単位フォーム１２ａ（１２ｂ）は、ページ面（フォーム面）が、図５に示すように構成される。単位フォーム１２ａのページ面はメイン記載欄２７の他、日付記載欄２８、承認欄２９、氏名記載欄３０、通し頁記載欄４７、行数記載欄４８、インデックス表示欄４９、さらに必要な事項記載欄（図示せず）が記載される。
【００４１】
インデックス表示欄４９は単位フォーム１２ａ（１２ｂ）のフォーム表面側のページ面の側端部にベタ塗りの印刷が施される。インデックス表示欄４９は、例えば単位フォーム１〜単位フォーム１０，単位フォーム１１〜単位フォーム２０，単位フォーム２１〜単位フォーム３０，単位フォーム３１〜単位フォーム４０，および単位フォーム４１〜単位フォーム５０のように、例えば１０ページ相当分ずつが組をなして、各組のページ面が同じ行に印刷される。
【００４２】
また、インデックス表示欄４９は、単位フォーム１〜単位フォーム５０の側端部にベタ塗りの印刷を施す代りに、白抜き文字印刷を施してもよい。白抜き文字印刷例としては、都道府県名をインデックス表示欄４９に単位フォーム１〜単位フォーム５０毎に順次表示したり、各都道府県の名所旧跡名を表示してもよい。その際、単位フォーム４８、単位フォーム４９および単位フォーム５０のインデックス表示欄には、都道府県名や名所旧跡の名称の不足分をベタ塗りで表示しても、例えば本州、四国および九州の文字で補ってもよい。この場合には、インデックス表示欄４９の行は各ページ相当分毎に、順次繰り下げられて形成される。ノートブック５０の各単位フォームのいずれかが破損したり、欠落した場合、破損や欠落箇所をインデックス表示欄４９の観察で容易に確認することができる。
【００４３】
ところで、単位フォーム１２ａ（１２ｂ）のメイン記載欄２７は、例えば多数（２５本）の横罫線３１と縦罫線３２とで構成される。このうち、横罫線３１は微細なマイクロ文字の印刷が施される。横罫線３１のうち、最上位（第１行）および最下行の横罫線３１は、例えば０．７Ｐ（ポイント）〜１．０Ｐ（ポイント）のマイクロ文字が、残りの横罫線３１は０．３Ｐ〜０．６Ｐの微細なマイクロ文字が印刷された罫線である。横罫線３１の微細なマイクロ文字は、文字の内容を肉眼で確認することは困難である。マイクロ文字の横罫線３１は、複写機で印刷すると文字が潰れ、文字で再現は不可能であるので、改ざん防止機能が備えられ、安全性が高い。
【００４４】
また、最下行の横罫線３１は、行中間から行末端側に向ってマイクロ文字が漸次大きくなるように印刷される。最下行の末端では、例えば３Ｐ（約１ｍｍの大きさ）の文字が印刷され、最下行の末端文字を肉眼で確認できるようにしてもよい。図５のＡ部を拡大すると、最下行の末端側は、図６（Ａ）に示すように表わされ、残りの横罫線３１、例えば図５のＢ部を拡大すると図６（Ａ）に示すように表示され、マイクロ文字を拡大鏡等で拡大して初めて文字内容を確認することができる。横罫線３１の微細なマイクロ文字は、図６（Ａ）および（Ｂ）に示すように、例えば会社名のロゴ、例えば“ＭＩＳＡＴＯ  ＭＩＲＡＩ  ２１”が印刷されている。このように、単位フォーム１２ａ（１２ｂ）のメイン記載欄２７には、横罫線３１が単なる罫線ではなく、罫線自在に識別機能を有する微細なマイクロ文字で印刷されている。
【００４５】
また、メイン記載欄２７の最下行の横罫線３１は印刷端から行始端から行中間にかけてマイクロ文字が漸次小さくなるように印刷された罫線であってもよい。いずれにしても、メイン記載欄２７の最下行の横罫線３１は行の一部で文字が大きくなるように構成される。
【００４６】
さらに、メイン記載欄２７の最上位と最下行の横罫線３１は他の横罫線と同じ大きさの微細なマイクロ文字で印刷された罫線としてもよい。
【００４７】
ところで、本発明に係る第１の実施形態では、第１の印刷装置１８と第３の印刷装置２１により連続フォーム１２の表裏両面に無端帯状印刷プレート１３（１３ａ，１３ｂ）を用いて印刷し、印刷された連続フォーム１２とジグザグ折り装置４４によりジグザグ状に折り畳んで所要数の単位フォームから連続する単位フォーム群４６の単位ユニットを構成し、単位ユニット毎にあるいは複数の単位ユニット毎にフォーム幅方向に切断してジグザグ折りの単位ユニットのノートブック５０を製作する例を説明した。製作されたノートブック５０は、ノート裏面側（あるいは表面側）を第１の印刷装置１８で印刷し、ノート表面側（あるいは裏面側）を第３の印刷装置２１で印刷した例を示した。
【００４８】
この場合、連続フォーム１２はフォーム裏面側とフォーム表面側とでは使用する印刷インクの色は同じでもよいが、異ならせることもできる。しかし、フォーム裏面側あるいはフォーム表面側内の印刷途中で各単位フォーム１２ａ，１２ｂを印刷するインクの色を異ならせたり、カラー印刷を行なうことができない。フォーム表面側あるいはフォーム裏面側の印刷途中で各単位フォームを印刷するインクの色を異ならせたり、カラー印刷をするためには、フォーム表面側やフォーム裏面側を印刷に必要な所要数（複数台）の印刷装置をそれぞれ並べて所要のバリエーションで印刷する必要がある。
【００４９】
［第２の実施形態］
本発明の第２の実施形態を図７ないし図１０を参照して説明する。
【００５０】
第２の実施形態は、ノートブック製造装置１０で製作されたノートブック５０を樹脂製等のブックカバー６０で覆ったものである。ブックカバー６０は、図７および図８に示すように、樹脂製、皮製、厚紙製、あるいは木製の化粧ブックカバーで構成される。ブックカバー６０は、表表紙６１と裏表紙６２とを背表紙６３で一体に接続して見開き自在に構成される。ブックカバー６０の表表紙６１には裏面側にＮｏｔｅＢｏｏｋのタイトルや所有者を表示する記載欄が必要に応じて形成される。
【００５１】
また、ブックカバー６０を展開し、見開いた状態で、図９に示すように、表表紙６１の裏面は内側辺を除いた外周側の３側辺がカバープレート６６で貼着あるいは固着される。表表紙６１のカバープレート６６には、枚葉物の紙葉類を挿入して保持する紙葉類サポートポケット６７が設けられる一方、カバープレート６６の下部には、名刺類を保持するホルダポケット６８およびカード類を保持するホルダポケット６９がそれぞれ形成される。
【００５２】
さらに、ブックカバー６０は見開いた状態でカバープレート６６の表表紙裏面の内側辺側開口から単位ユニット（あるいは複数の単位ユニット）のノートブック５０を挿入し、保持させる。具体的には、ノートブック５０のフォーム表面側の単位フォームＡおよび単位フォームＢが折り畳まれてカバープレート６６の内側辺側開口から挿入され、保持される。また、ブックカバー６０の裏表紙６２には、その裏面側にカバープレート７１が表面側のカバープレート６６と同じように貼着され、このカバープレート７１の内側辺側開口からフォーム表面側の単位フォームＹおよび単位フォームＺが折り畳まれて挿入され、保持される。このようにして、ノートブック５０のフォーム表面側の単位フォームＡ，Ｂはブックカバー６０のカバープレート６６に挿入・保持され、単位フォームＹ，Ｚはブックカバー６０のカバープレート７１に挿入・保持され、ノートブック５０はブックカバー６０で覆われ収納・保護される。
【００５３】
一方、ノートブック５０を収容したブックカバー６０を搬送したり、見開いたとき、ノートブック５０はジグザグ状に折り畳まれて製作されたもので、冊子状に製作されたノートブックではない。このため、ノートブック５０の各ノート面を構成する中紙の単位フォームは自由に展開自在に折り畳まれており、途中が拘束されていない。第２の実施形態では、ブックカバー６０内にノートブック５０を安定的に保持させるために、ブックカバー６０は、表表紙６１と裏表紙６２の底辺側にストッパ７２，７３が設けられ、ノートブック５０の途中がズレ落ちるのを防止している。ストッパ７２，７３は、表表紙６１あるいは裏表紙６２の底辺側に位置を異にして少なくとも１つ設けられる。
【００５４】
第２の実施形態では、ブックカバー６０の底辺側にストッパ７２，７３を設けた例を説明したが、ストッパ７２，７３は、ブックカバー６０の底辺側と頂部側の双方にそれぞれ設けてもよい。
【００５５】
［他の実施形態］
本発明の実施形態では、ノートブック５０を研究開発ノートあるいは技術開発ノートとして利用した例を説明したが、ノートブック５０は、危険管理ノートや情報管理ノートとして活用することもできる。
【００５６】
危険管理ノートの例としては、個人の身辺整理や自己管理に必要な種々の資産、負債、病気、介護等の日常の暮らしに必要な個人の整理情報等を記入する、必要な情報記載欄を各単位フォームのノート欄に構成したもので、例えば著者：須斎美智子氏、特定非営利活動法人ライフ・アンド・エンディングセンターの発表に係る“もしもノート”が参照される。
【００５７】
また、情報管理ノートの例としては、気になる情報を収集する情報整理欄、情報加工欄、情報点検欄、情報活用欄等が各単位フォームのノート欄に構成されたもので、北真也氏の著作に係る“ＥＶＥＲ  ＮＯＴＥ”が参照される。
【００５８】
さらに、本発明の実施形態では、ノートブック製造装置を用いて連続フォームから単位フォーム群の単位ユニットを１つずつ連続的に製作する例を説明したが、フォーム幅の広い連続フォームを用いて、単位フォーム群の単位ユニットを並列的に複数、例えば２個ずつ製作するノートブック製造装置で製造するようにしてもよい。
【符号の説明】
【００５９】
１０  ノートブック製造装置
１１  給紙ロール
１２  連続フォーム
１３  無端帯状印刷プレート
１５  マージナルゾーン
１６  パンチング孔
１８  第１の印刷装置
１９  第２の印刷装置
２０  フォーム反転装置
２１  第３の印刷装置
２３  プレートシリンダ（版胴）
２４  ガイドシリンダ（ガイドローラ）
２５  インクローラ
２６  プレートシリンダ（受胴）
２７  メイン記載欄
２８  日付記載欄
３１  横罫線
３２  縦罫線
３３  透かし模様
３５  下方のガイドバー
３６  ガイドローラ
３７  上方のガイドバー
４０  検査装置
４１  切断機
４４  ジグザグ折り装置
４５  スタッカ
４６  単位フォーム群
４７  通し頁記載欄
４８  行数記載欄
４９  インデックス表示欄
５０  ノートブック
６０  ブックカバー
６１  表表紙
６２  裏表紙
６３  背表紙
６６，７１  カバープレート
６７  サポートポケット
６８，６９  ホルダポケット
７２，７３  ストッパ
【図１】
2015066947.tif 000003
【図２】
2015066947.tif 000004
【図３】
2015066947.tif 000005
【図４】
2015066947.tif 000006
【図５】
2015066947.tif 000007
【図６】
2015066947.tif 000008
【図７】
2015066947.tif 000009
【図８】
2015066947.tif 000010
【図９】
2015066947.tif 000011
【図１０】
2015066947.tif 000012
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
フォーム両面に印刷された連続フォームを単位フォーム毎にジグザグ状に折り畳み、所要数の連続する単位フォームから単位フォーム群の単位ユニットを連続して構成し、
前記単位フォーム群の単位ユニットは、前記単位ユニット毎にあるいは複数の単位ユニット毎にフォーム幅方向に切断して、ジグザグ折りのノートブックを構成し、
前記ノートブックは、各単位フォームのノート面に、複数の横罫線を備えたメイン記載欄と日付記載欄とを少なくとも備え、
前記各単位フォームのノート面のメイン記載欄は連続するマイクロ文字で印刷された罫線を有し、各単位フォームがジグザグ折りで展開して見開き可能に重ねられたことを特徴とするノートブック。
【請求項２】
前記メイン記載欄の最上位と最下位の横罫線は、印刷ポイントが０．７ポイントから１．０ポイントのマイクロ文字で印刷され、残りの横罫線は０．３ポイントから０．７ポイントのマイクロ文字で印刷された請求項１に記載のノートブック。
【請求項３】
前記メイン記載欄の最下行の横罫線は、一部が行途中から行末端に向って印刷ポイントが漸次大きくなったり、あるいは行始端から行途中に向って印刷ポイントが漸次小さくなる請求項１または２に記載のノートブック。
【請求項４】
ジグザグ折りして展開可能に重ねられた請求項１ないし３のいずれか１項に記載のノートブックがブックカバーで覆われ、
前記ブックカバーは、表表紙と裏表紙と背表紙とから見開き可能に設けられ、
前記ブックカバーの表表紙は、その裏面とカバープレートの間に前記ノートブックの始端側単位フォームとこの次の単位フォームが折り畳まれて挿入保持され、
前記ノートブックの末端側単位フォームとこの前の単位フォームは折り畳まれて、前記ブックカバーの裏表紙裏面とカバープレートとの間に挿入保持されたことを特徴とするノートブック。
【請求項５】
前記ブックカバーは表表紙および裏表紙側の底部にストッパをそれぞれ備え、前記ブックカバーに収容されるノートブックは前記ストッパにより中紙の抜出が防止される請求項４に記載のノートブック。
【請求項６】
給紙ロールから繰り出される連続フォームを、無端帯状印刷プレートを備えた印刷装置でフォーム一面に連続するマイクロ文字の横罫線を印刷した後、フォーム反転装置により連続フォームの表裏を反転させ、
続いて、前記連続フォームの他面を無端帯状印刷プレートを備えた別の印刷装置で印刷して連続フォーム両面に印刷を施し、
フォーム両面が印刷された連続フォームをジグザグ折り装置で単位フォーム毎にジグザグ折りして折り畳んでスタッカ上に堆積させ、
ジグザグ折りされた前記連続フォームは所要枚の単位フォームから単位フォーム群の単位ユニットを連続して構成し、
前記単位フォーム群の単位ユニットは、単位ユニット毎あるいは複数の単位ユニット毎にフォーム幅方向に切断し、切り離されることを特徴とするノートブックの製造方法。
【請求項７】
前記連続フォームは各単位フォームのフォーム面に横罫線を備えたメイン記載欄が形成され、前記メイン記載欄の横罫線がマイクロ文字で印刷される罫線である請求項６に記載のノートブックの製造方法。
【手続補正２】
【補正対象書類名】明細書
【補正対象項目名】０００５
【補正方法】変更
【補正の内容】
【０００５】
【特許文献１】特開２０１２−９６４９０号公報
【特許文献２】特開２０１１−５３４２４号公報
【特許文献３】特許第５３２４９５０号公報
【手続補正３】
【補正対象書類名】明細書
【補正対象項目名】００１１
【補正方法】変更
【補正の内容】
【００１１】
本発明に係るノートブックは、フォーム両面に印刷された連続フォームを単位フォーム毎にジグザグ状に折り畳み、所要数の連続する単位フォームから単位フォーム群の単位ユニットを連続して構成し、前記単位フォーム群の単位ユニットは、前記単位ユニット毎にあるいは複数の単位ユニット毎にフォーム幅方向に切断して、ジグザグ折りのノートブックを構成し、前記ノートブックは、各単位フォームのノート面に、複数の横罫線を備えたメイン記載欄と日付記載欄とを少なくとも備え、前記各単位フォームのノート面のメイン記載欄は連続するマイクロ文字で印刷された罫線を有し、各単位フォームがジグザグ折りで展開して見開き可能に重ねられたことを特徴とするものである。
【手続補正４】
【補正対象書類名】明細書
【補正対象項目名】００１３
【補正方法】変更
【補正の内容】
【００１３】
さらに、本発明に係るノートブックの製造方法は、給紙ロールから繰り出される連続フォームを、無端帯状印刷プレートを備えた印刷装置でフォーム一面に連続するマイクロ文字の横罫線を印刷した後、フォーム反転装置により連続フォームの表裏を反転させ、続いて、前記連続フォームの他面を無端帯状印刷プレートを備えた別の印刷装置で印刷して連続フォーム両面に印刷を施し、フォーム両面が印刷された連続フォームをジグザグ折り装置で単位フォーム毎にジグザグ折りして折り畳んでスタッカ上に堆積させ、ジグザグ折りされた前記連続フォームは所要枚の単位フォームから単位フォーム群の単位ユニットを連続して構成し、前記単位フォーム群の単位ユニットは、単位ユニット毎あるいは複数の単位ユニット毎にフォーム幅方向に切断し、切り離されることを特徴とする方法である。
【手続補正５】
【補正対象書類名】明細書
【補正対象項目名】００１９
【補正方法】変更
【補正の内容】
【００１９】
［第１の実施形態］
図１は、可撓性で長尺な無端帯状印刷プレートをそれぞれ備えた複数台、少なくとも２台の印刷装置を用いて、長尺な帯状連続フォーム（連続紙）の両面に一連の印刷を連続して施し、フォーム両面が印刷された連続フォームをジグザグ状に折り畳んでジグザグ折りの単位フォーム群の単位ユニットが製作されるノートブックの製造装置を原理的に示す構成図である。ここでは、単位ユニットは単一ユニット（シングルユニット）を意味する。
【手続補正６】
【補正対象書類名】明細書
【補正対象項目名】００４３
【補正方法】変更
【補正の内容】
【００４３】
ところで、単位フォーム１２ａ（１２ｂ）のメイン記載欄２７は、例えば多数（２５本）の横罫線３１と縦罫線３２とで構成される。このうち、横罫線３１は微細なマイクロ文字の印刷が施される。横罫線３１のうち、最上位（第１行）および最下行の横罫線３１は、例えば０．７Ｐ（ポイント）〜１．０Ｐ（ポイント）のマイクロ文字が、残りの横罫線３１は０．３Ｐ〜０．６Ｐの微細なマイクロ文字が印刷された罫線である。横罫線３１の微細なマイクロ文字は、文字の内容を肉眼で確認することは困難である。マイクロ文字の横罫線３１は、複写機で印刷すると文字が潰れ、文字で再現は不可能であるので、改ざん防止機能が備えられ、安全性が高い。
ここでは、マイクロ文字は、少なくとも肉眼では意味があるデータを表示するとは認識し難い、１ポイント（＝０．３５１５ｍｍ）以下の文字、数字、記号を意味するものである。マイクロ文字は、電子写真複写機器の通常の複写機を用いて複写すると、潰れて再現が不可能であるので、ノートブックには改ざん防止機能が備えられ、安全性が高い。マイクロ文字列は、好ましくはノートブックのノート面（フォーム面）に横罫線として取り込まれる。